(57)【特許請求の範囲】
【請求項１】
フロアコンソール(11)の上面に設けられた第１コンソールリッド(12)と、前記第１コンソールリッド(12)の上面に設けられた第２コンソールリッド(13)と、前記第１又は第２コンソールリッド(12,13)の前部に設けられたハウジング(21)と、前記ハウジング(21)に出没可能に設けられたロックノブ(22)と、前記ロックノブ(22)に設けられ前記ロックノブ(22)が前記ハウジング(21)から突出した状態で前記第２又は第１コンソールリッド(13,12)に係止し前記ロックノブ(22)が前記ハウジング(21)に没入した状態で前記第２又は第１コンソールリッド(13,12)との係止が解除されるように構成されたフック(24)と、前記ロックノブ(22)を前記ハウジング(21)から突出するように付勢するスプリング(23)と備えたコンソールボックスのロック装置において、
前記ハウジング(21)内部の下段位置と上段位置とを移動可能に前記ハウジング(21)に内蔵され前記第１コンソールリッド(12)が前記フロアコンソール(11)を閉止した状態で下段に位置するボール(26)と、
前記ロックノブ(22)に設けられ下段に位置する前記ボール(26)を前記第１コンソールリッド(12)が前記フロアコンソール(11)を開放した状態で上段位置に案内する案内壁(28)と、
前記ハウジング(21)に設けられ上段位置に移動した前記ボール(26)を前記案内壁(28)とともに挟んで前記ロックノブ(22)の前記ハウジング(21)への没入を禁止する受け部(29)と
を備え、
上段位置に移動した前記ボール(26)を挟む前記案内壁(28)と前記受け部(29)の間の隙間は下段位置に向かって狭くなるように形成されたことを特徴とする２段式コンソールボックスのロック装置。
【請求項２】
第１コンソールリッド(12)がフロアコンソール(11)を閉止した状態で下段位置のボール(26)が前後方向に移動可能に載置される床材(27)がハウジング(21)に設けられ、前記ハウジング(21)からロックノブ(22)が突出した状態で案内壁(28)近傍の前記床材(27)に前記ボール(26)が落ち込む凹部(27a)又は孔が形成された請求項１記載の２段式コンソールボックスのロック装置。
【発明の詳細な説明】
【技術分野】
【０００１】
本発明は、車両の左右のシート間に配設されたフロアコンソールの上面に設けられた第１コンソールリッドと、その第１コンソールリッドの上面に更に設けられた第２コンソールリッドを有する２段式コンソールボックスのロック装置に関する。更に詳しくは、上段における第２コンソールリッドの開閉を制限する２段式コンソールボックスのロック装置に関するものである。
【背景技術】
【０００２】
従来、第１コンソールリッドの上部に第２コンソールリッドを有する２段式コンソールボックス（例えば、特許文献１参照。）が提案されている。この２段式コンソールボックスでは、フロアコンソールの上側に、第１のヒンジを介して第１コンソールリッドが取付けられており、その第１コンソールリッドの上側には第２のヒンジを介して第２コンソールリッドが取付けられる。このようにすることにより、フロアコンソールに形成された第１収納部と第１コンソールリッドに形成された第２収納部を積層状に設けることができ、これにより収容体積を増大させて利用者の利便性を向上させるようになっている。
【０００３】
一方、コンソールボックスには、車両の走行に起因する振動等によりコンソールリッドが開閉するような事態を防止するために、従来からそのコンソールリッドの開閉を制限するロック装置を設けている。このロック装置はコンソールリッドに設けられたハウジングと、そのハウジングに出没可能に設けられたロックノブと、ロックノブに設けられロックノブがハウジングから突出した状態でコンソールリッドを係止させロックノブがハウジングに没入した状態でコンソールリッドの係止を解除するように構成されたフックと、ロックノブをハウジングから突出するように付勢するスプリングとを備える。そして、このようなロック装置では、スプリングの付勢力に抗してロックノブをハウジングに没入させることによりコンソールリッドの係止が解除され、その他の場合にはフックによりコンソールリッドが係止され、車両の走行に起因する振動等によりコンソールリッドが開閉するような事態を防止できるようになっている。
【特許文献１】実開昭６４−３０７４９号公報（明細書［実用新案登録請求の範囲］、第３図〜第６図）
【発明の開示】
【発明が解決しようとする課題】
【０００４】
しかし、２段式コンソールボックスでは、第１コンソールリッドを回転させてフロアコンソールにおける第１収納部を開放させた状態では、第２コンソールリッドが第２ヒンジを中心として回転することを防止する必要がある。即ち、フロアコンソールを開放させた状態では、第１コンソールリッドは起立し又は１８０度近く回転して反転している。この状態で第２コンソールリッドが回転して第１コンソールリッドに形成された第２収納部を開放させると、その第１コンソールリッドに収納された収納物がそこから自重により落下してしまう不具合がある。この点において、従来のロック装置では第１コンソールリッドが起立し又は反転していたとしても、ロックノブがハウジングに没入することは許容されるので、第１コンソールリッドを起立させ又は反転させる際の不注意等により、ロックノブがハウジングに没入すると第２コンソールリッドが回転して第１コンソールリッドに形成されている第２収納部を開放してしまう問題点がある。
本発明の目的は、第１コンソールリッドが起立し又は反転している状態における第２コンソールリッドの回転を防止し得る２段式コンソールボックスのロック装置を提供することにある。
【課題を解決するための手段】
【０００５】
請求項１に係る発明は、図１、図４及び図９に示すように、フロアコンソール１１の上面に設けられた第１コンソールリッド１２と、第１コンソールリッド１２の上面に設けられた第２コンソールリッド１３と、第１又は第２コンソールリッド１２，１３の前部に設けられたハウジング２１と、ハウジング２１に出没可能に設けられたロックノブ２２と、ロックノブ２２に設けられロックノブ２２がハウジング２１から突出した状態で第２又は第１コンソールリッド１３，１２に係止しロックノブ２２がハウジング２１に没入した状態で第２又は第１コンソールリッド１３，１２との係止が解除されるように構成されたフック２４と、ロックノブ２２をハウジング２１から突出するように付勢するスプリング２３と備えたコンソールボックスのロック装置の改良である。
【０００６】
その特徴ある構成は、ハウジング２１内部の下段位置と上段位置とを移動可能にハウジング２１に内蔵され第１コンソールリッド１２がフロアコンソール１１を閉止した状態で下段に位置するボール２６と、ロックノブ２２に設けられ下段に位置するボール２６を第１コンソールリッド１２がフロアコンソール１１を開放した状態で上段位置に案内する案内壁２８と、ハウジング２１に設けられ上段位置に移動したボール２６を案内壁２８とともに挟んでロックノブ２２のハウジング２１への没入を禁止する受け部２９とを備え、上段位置に移動したボール２６を挟む案内壁２８と受け部２９の間の隙間は下段位置に向かって狭くなるように形成されたところにある。
【０００７】
この請求項１に記載された２段式コンソールボックスのロック装置では、第１コンソールリッド１２を回転させて起立又は反転させると、図３の矢印で示すように、ボール２６は案内壁２８により案内されてハウジング２１内部において下段から上段に移動し、案内壁２８と受け部２９との間に進入する。すると、ロックノブ２２をハウジング２１に没入させようとしても、そのボール２６が受け部２９と案内壁２８との間に介在してそのロックノブ２２の没入を禁止する。よって、第１コンソールリッドは起立し又は反転している状態においては、ロックノブ２２をハウジング２１に没入させようとする外力が生じたとしても、そのロックノブ２２の没入は禁止され、フック２４が第２又は第１コンソールリッド１３，１２から離脱するようなことはない。このため、第１コンソールリッドが回転した状態における第２コンソールリッドの回転を防止することができる。
【０００８】
またボール２６が下段から上段に移動して案内壁２８と受け部２９との間に進入することによりロックノブ２２がハウジング２１に没入することを防止できるけれども、ロックノブ２２をハウジング２１に没入させる際に案内壁２８と受け部２９との間のボール２６が上段から下段に戻るとロックノブ２２の没入が許容されることになる。この請求項１に記載された２段式コンソールボックスのロック装置では、案内壁２８と受け部２９の間の隙間を下段位置に向かって狭くなるように形成したので、ロックノブ２２をハウジング２１に没入させる際に案内壁２８と受け部２９との間のボール２６が上段から下段に戻るような事態を有効に回避することができる。この結果、第１コンソールリッド１２が起立又は反転した状態におけるロックノブ２２の没入は有効に禁止され、これにより第２コンソールリッドの回転を効果的に防止することができる。
【０００９】
請求項２に係る発明は、請求項１に係る発明であって、第１コンソールリッド１２がフロアコンソール１１を閉止した状態で下段位置のボール２６が前後方向に移動可能に載置される床材２７がハウジング２１に設けられ、ハウジング２１からロックノブ２２が突出した状態で案内壁２８近傍の床材２７にボール２６が落ち込む凹部２７ａ又は孔が形成されたことを特徴とする。
この請求項２に記載された２段式コンソールボックスのロック装置では、第１コンソールリッド１２がフロアコンソール１１を閉止した状態でボール２６は凹部２７ａ又は孔に落ち込むので、そのボール２６の床材２７上における自由な転動が禁止される。このため、ボール２６が転動することに起因する異音の発生を防止することができる。
【発明の効果】
【００１０】
本発明の２段式コンソールボックスのロック装置では、ハウジング内部の下段位置と上段位置とを移動可能にハウジングに内蔵され第１コンソールリッドがフロアコンソールを閉止した状態で下段に位置するボールと、ロックノブに設けられ下段に位置するボールを第１コンソールリッドがフロアコンソールを開放した状態で上段位置に案内する案内壁と、ハウジングに設けられ上段位置に移動したボールを案内壁とともに挟んでロックノブのハウジングへの没入を禁止する受け部とを備えたので、第１コンソールリッドを回転させると、ボールは案内壁により案内されて下段から上段に移動し、案内壁と受け部との間に進入する。すると、ロックノブをハウジングに没入させようとしても、そのボールが受け部と案内壁との間に介在してそのロックノブの没入を禁止する。よって、第１コンソールリッドが起立又は反転した状態においては、不注意等によりロックノブをハウジングに没入させようとする外力が生じたとしても、フックが第２又は第１コンソールリッドから離脱するようなことはなく、第１コンソールリッドが起立又は反転した状態における第２コンソールリッドの回転を防止することができる。
【００１１】
この場合、上段位置に移動したボールを挟む案内壁と受け部の間の隙間が下段位置に向かって狭くなるように形成すれば、ロックノブをハウジングに没入させる際に案内壁と受け部との間に進入したボールが上段から下段に戻るような事態を有効に回避することができる。この結果、第１コンソールリッドが起立又は反転した状態におけるロックノブの没入は有効に禁止され、これにより第２コンソールリッドの回転を効果的に防止することができる。そして、下段位置のボールが前後方向に移動可能に載置される床材をハウジングに設け、ハウジングからロックノブが突出した状態で案内壁近傍の床材にボールが落ち込む凹部又は孔を形成すれば、そのボールの床材上における自由な転動が禁止され、ボールが転動することに起因する異音の発生を防止することができる。
【発明を実施するための最良の形態】
【００１２】
次に本発明を実施するための最良の形態を図面に基づいて説明する。
図９に示すように、２段式コンソールボックス１０は、図示しない運転席と助手席の間のフロアに固定されたフロアコンソール１１と、そのフロアコンソール１１の上側に形成された第１収容部１１ａ（図８）を上側から閉止する第１コンソールリッド１２と、その第１コンソールリッド１２の上側に形成された第２収容部１２ａ（図７）を更に上側から閉止する第２コンソールリッド１３とを備える。図８に示すように、フロアコンソール１１の上面前部には第１ヒンジ１４が取付けられ、この第１ヒンジ１４を介して第１コンソールリッド１２がフロアコンソール１１に取付けられる。このため、第１コンソールリッド１２は、後端を持ち上げるように第１ヒンジを１４を中心として回転させて起立又は反転させることにより第１収容部１１ａを開放可能に取付けられる。また、図７に示すように、その第１コンソールリッド１２の上側の後部には第２ヒンジ１６が取付けられ、この第２ヒンジ１６を介して第２コンソールリッド１３が第１コンソールリッド１２に取付けられる。このため、第２コンソールリッド１３は、前端を持ち上げるように第２ヒンジを１６を中心として回転させて起立又は反転させることにより第２収容部１２ａを開放可能に取付けられる。
【００１３】
図９に戻って、この２段式コンソールボックス１０には、第２コンソールリッド１３の自由な回転を制限するロック装置２０が設けられる。図１〜図６に示すように、この実施の形態におけるロック装置２０は第２コンソールリッド１３に設けられたハウジング２１と、そのハウジング２１に前方から挿入されてそのハウジング２１に出没可能に設けられたロックノブ２２を備える。図５に示すように、ハウジング２１は車幅方向に延びて細長く形成され、ロックノブ２２もそのハウジング２１の内径に合わせて車幅方向に延びて細長く形成される。
【００１４】
図４〜図６に示すように、ハウジング２１の中央には筒状のボス２１ａが車両の前方に向かって突出して形成され、そのボス２１ａに対向するロックノブ２２の中央には、その筒状のボス２１ａに挿入されるピン２２ａが形成される。そして、そのピン２２ａがボス２１ａに挿入されることによりロックノブ２２は前後方向にその移動が制限されるように構成される。また、ピン２２ａにはコイルスプリング２３が嵌入され、この状態でピン２２ａをボス２１ａに挿入することによりコイルスプリング２３はボス２１ａの前端とロックノブ２２との間で圧縮され、延びようとする復元力によりこのコイルスプリング２３はロックノブ２２を前方に付勢してそのロックノブ２２をハウジング２１から突出させるように構成される。
【００１５】
また、図６に示すように、ロックノブ２２の両側には係止爪２２ｂが外側に向かって形成され、この係止爪２２ｂに対向するハウジング２１の側部にはその係止爪２２ｂが挿入される前後方向に長い長孔２１ｂが形成される。係止爪２２ｂは、ロックノブ２２をハウジング２１に前方から挿入すると長孔２１ｂに挿入され、図４に示すようにロックノブ２２がハウジング２１から前方の突出した状態で長孔２１ｂの前端に係止してそのロックノブ２２がハウジング２１から離脱することを防止するように構成される。また、図５に示すように、コイルスプリング２３の付勢力に勝る前方からの荷重Ｐによりロックノブ２２がハウジング２１に没入すると、係止爪２２ｂは長孔２１ｂの内部で後方に移動し、その没入動作を妨げるようなことを回避するように構成される。
【００１６】
図４及び図５に示すように、ロックノブ２２にはフック２４が設けられる。ロックノブ２２は樹脂成型品であって、フック２４はロックノブ２２を樹脂成型する際にそのロックノブ２２と一体的に形成される。そして、図４に示すように、ロックノブ２２がハウジング２１から前方に突出した状態で第１コンソールリッド１２に係止し、図５に示すように、ロックノブ２２が前方から後方に移動してハウジング２１に没入した状態で第１コンソールリッド１２への係止を解除するように構成される。このため、このロック装置２０では、スプリング２３の付勢力に勝る前方からの荷重Ｐによりロックノブ２２をハウジング２１に没入させると、フック２４における第１コンソールリッド１２の係止を解除するうことができ、これにより図７に示すように第２コンソールリッド１３は回転可能となり、その前端を持ち上げるように回転させて起立又は反転させることにより第２収容部１２ａを開放することができるように構成される。
【００１７】
図６に示すように、ハウジング２１にはボール２６が内蔵される。この実施の形態では、車幅方向に長いハウジング２１の両側にボール２６がそれぞれ内蔵される場合を示し、そのボール２６が内蔵されるハウジング２１の両側にはそのボール２６の車幅方向の移動を防止する一対のリブ２１ｃ，２１ｃがそれぞれ形成される。この一対のリブ２１ｃ，２１ｃの間隔はボール２６の外径より僅かに大きく形成され、ハウジング２１にはこの一対のリブ２１ｃ，２１ｃの下端を連結してボール２６を載置する床材２７が設けられる。ハウジング２１の内部であってこの床材２７の上方の空間はボール２６の外径の２倍以上の高さを有するように構成される。これによりそのボール２６はハウジング２１の内部において車両の前後方向及び上下方向の移動は許容されるけれども、車幅方向、即ち車両の左右方向へのボール２６の自由な移動は制限されるように構成される。そして、第２コンソールリッド１３が第２収容部１２ａを閉止する図９の状態で下段位置のボール２６が床材２７に載置されるように構成される。
【００１８】
図１に示すように、ロックノブ２２にはそのボール２６に対向して案内壁２８が設けられる。この案内壁２８は、第２コンソールリッド１３が閉止した状態で下段に位置するボール２６を、第２コンソールリッド１３が第１コンソールリッド１２とともに図８に示すように回転した場合に、図３の実線矢印で示すようにそのボール２６の自重によりハウジング２１内部の上段位置に案内するように傾斜して形成される。また、図１に示すように、ハウジング２１からロックノブ２２が突出した状態でこの案内壁２８近傍の床材２７には、下段位置のボール２６が落ち込む凹部２７ａが形成される。この凹部２７ａはボール２６の外径より小さく形成され、ボール２６が落ち込むことによりその床材２７上面において自由な転がり移動が禁止されるように構成される。一方、ハウジング２１にロックノブ２２を没入させる際にその凹部２７ａに落ち込んだボール２６に案内壁２８が当接することになるけれども、その案内壁２８はボール２６の中心と床材２７との間Ｈで最初にボール２６に接触し、その後そのボール２６をその凹部２７ａからすくい上げるように傾斜して形成される。
【００１９】
また、ハウジング２１には、上段位置に移動したボール２６をロックノブ２２とともに挟んでロックノブ２２がハウジング２１の内部に没入することを禁止する受け部２９が設けられる。この受け部２９は床材２７に上側から対向し、その間の隙間に下段位置のボールが前後方向に移動可能にハウジング２１に設けられる。一方、図１に示すように、ハウジング２１からロックノブ２２が突出した状態でこの受け部２９の前端とロックノブ２２における案内壁２８との前後方向における間隔はボール２６の外径より僅かに大きくなるように形成され、図３に示すように、第１コンソールリッド１２が第２コンソールリッド１３とともに起立又は反転するとボール２６が上段に移動して受け部２９と案内壁２８との間に入り込むように構成される。そして、受け部２９の前端と案内壁２８との前後方向における間隔をボール２６の外径より僅かに大きく形成することにより、図３の一点鎖線で示すようにその間にボール２６が入り込むと、ロックノブ２２をハウジング２１に没入させようとしても、そのボール２６が受け部２９と案内壁２８との間に介在してそのロックノブ２２の没入を禁止するように構成される。そして、この受け部２９は樹脂成型品から成るハウジング２１を成型する際にハウジング２１とともに一体的に形成される。また、このボール２６を上段位置に案内する案内壁２８は、上段位置に移動したボール２６をロックノブ２２とともに挟む受け部２９の先端の間の隙間が下段位置に向かって狭くなるように傾斜して形成される。
【００２０】
このように構成された２段式コンソールボックスのロック装置では、図８に示すように第１コンソールリッド１２を回転させて第１収容部１１ａを開放させると、第２コンソールリッド１３は第１コンソールリッド１２とともに回転して起立又は反転する。図３に示すように、第２コンソールリッド１３が第１コンソールリッド１２とともに回転すると、ハウジング２１内部に設けられたボール２６は案内壁２８により案内されてハウジング２１内部において下段から上段に移動し、案内壁２８と受け部２９との間に進入する。すると、図３から明らかなように、ロックノブ２２をハウジング２１に没入させようとしても、そのボール２６が受け部２９と案内壁２８との間に介在してそのロックノブ２２の没入は禁止される。よって、第１コンソールリッド１２が起立又は反転した状態においては、ロックノブ２２がハウジング２１に没入することが禁止され、第１コンソールリッド１２を起立させ又は１８０度回転させて反転させる際の不注意等によりロックノブ２２をハウジング２１に没入させようとする外力が生じたとしても、フック２４が第２又は第１コンソールリッド１３，１２から離脱するようなことはない。よって、第１コンソールリッドが起立又は反転した状態における第２コンソールリッドの回転を防止することができる。
【００２１】
ここで、ボール２６が下段から上段に移動して案内壁２８と受け部２９との間に進入することによりロックノブ２２がハウジング２１に没入することを防止できるけれども、ロックノブ２２をハウジング２１に没入させる際に案内壁２８と受け部２９との間に進入したボール２６が上段から下段に戻るとロックノブ２２の没入が許容されることになる。しかし、この２段式コンソールボックスのロック装置では、案内壁２８と受け部２９の間の隙間が下段位置に向かって狭くなるように形成したので、ロックノブ２２をハウジング２１に没入させる際に案内壁２８と受け部２９との間に進入したボール２６が上段から下段に戻るような事態を有効に回避することができる。この結果、第１コンソールリッド１２が起立又は反転した状態におけるロックノブ２２の没入は有効に禁止され、これにより第２コンソールリッドの回転を効果的に防止することができる。
【００２２】
更に、この２段式コンソールボックスのロック装置では、第１コンソールリッド１２がフロアコンソール１１を閉止した状態で下段位置のボール２６が前後方向に移動可能に載置される床材２７をハウジング２１に設け、ハウジング２１からロックノブ２２が突出した状態で案内壁２８近傍の床材２７にボール２６が落ち込む凹部２７ａを形成したので、第１コンソールリッド１２がフロアコンソール１１を閉止刷る図９の状態で、ボール２６は図１に示すように凹部２７ａに落ち込み、そのボール２６の床材２７上における自由な転動が禁止される。このため、ボール２６が転動することに起因する異音の発生を防止することができる。
【００２３】
一方、ロックノブ２２に外力Ｐ（図２）を加えてハウジング２１にそのロックノブ２２を没入させようとすると、その凹部２７ａに落ち込んだボール２６に案内壁２８が当接することになる。しかし、図１に示すように、その際には、案内壁２８はボール２６の中心と床材２７との間Ｈで最初にボール２６に接触するようにし、その後そのボール２６をその凹部２７ａからすくい上げるように傾斜して形成したので、ハウジング２１にロックノブ２２を没入させる際に、凹部２７ａに落ち込んだボール２６がロックノブ２２をハウジング２１に没入させる際の抵抗になるようなことはなく、図２に示すようにそのロックノブ２２を比較的容易にハウジング２１に没入させることができる。
【００２４】
なお、上述した実施の形態では、ロックノブ２２をハウジング２１から突出するように付勢するスプリングとしてコイルスプリングを例示して説明したが、このスプリングはロックノブ２２をハウジング２１から突出するように付勢するものである限り、コイルスプリングでなく板バネであってもよい。
【００２５】
また、上述した実施の形態では、案内壁２８近傍の床材２７にボール２６が落ち込む凹部２７ａが形成された場合を代表して説明したが、凹部２７ａに代えて、案内壁２８近傍の床材２７にボール２６が落ち込む孔を形成しても良い。
【００２６】
更に、上述した実施の形態では、第２コンソールリッド１３にハウジング２１を設け、フック２４が第１コンソールリッド１２に係止するように構成された例を代表して説明したが、第１コンソールリッド１２にハウジング２１を設け、フック２４が第２コンソールリッド１３に係止するように構成しても良い。
【図面の簡単な説明】
【００２７】
【図１】本発明実施形態のロック装置を示す図６のＡ−Ａ線断面図である。
【図２】そのロックノブが外力によりハウジングに没入した状態を示す図１に対応する断面図である。
【図３】そのコンソールリッドが起立した状態におけるロック装置を示す図１に対応する断面図である。
【図４】そのロック装置を示す図６のＢ−Ｂ線断面図である。
【図５】そのロックノブが外力によりハウジングに没入した状態を示す図４に対応する断面図である。
【図６】そのロック装置の分解斜視図である。
【図７】そのコンソールボックスの第２コンソールリッドが起立した状態を示す側面図である。
【図８】そのコンソールボックスの第１コンソールリッドが起立した状態を示す側面図である。
【図９】そのコンソールボックスの斜視図である。
【符号の説明】
【００２８】
１１  フロアコンソール
１２  第１コンソールリッド
１３  第２コンソールリッド
２１  ハウジング
２２  ロックノブ
２３  スプリング
２４  フック
２６  ボール
２７  床材
２７ａ  凹部
２８  案内壁
２９  受け部
【図１】
0005159243.tif 000002
【図２】
0005159243.tif 000003
【図３】
0005159243.tif 000004
【図４】
0005159243.tif 000005
【図５】
0005159243.tif 000006
【図６】
0005159243.tif 000007
【図７】
0005159243.tif 000008
【図８】
0005159243.tif 000009
【図９】
0005159243.tif 000010